(57)【特許請求の範囲】
【請求項１】
扉本体を機器本体に対して開閉自在に装着可能な扉軸受装置であって、前記扉本体の下端に設けられた嵌合部と、前記機器本体の内側に設けられた略円筒形状の軸受部と、前記嵌合部に嵌合される突起部と前記軸受部に回動自在に装着される略円筒形状の軸部とを備えた結合部材とを備え、前記機器本体に前記扉本体の開蓋時に前記扉本体の下端部分が当接する当接面を設けたことを特徴とする扉軸受装置。
【発明の詳細な説明】
【０００１】
【発明の属する技術分野】
本発明は、ビデオテープレコーダやステレオなどの映像音響機器等に用いられる各種扉等における開閉式の扉軸受装置に関するものである。
【０００２】
【従来の技術】
従来、映像音響機器などの電気製品等には、製品の高品格化、操作の煩雑さをなくす等を目的とし、操作部分をかくした種々の開閉式扉等が用いられている。図３は前述のように機器本体の前面部に開閉自在な扉を設けた構成を示す斜視図である。図３において、１は例えばＶＴＲなどの機器本体、２は機器本体１の前面に開閉自在に装着された扉本体であり、矢印Ｌ方向に開閉自在となっている。このような開閉自在の機器本体において、軸受構造として様々な形態が考案されている。
【０００３】
以下に、従来の扉軸受装置について説明する。
図４は従来の扉軸受装置の要部断面図で、同図（ａ）は扉が閉まった状態、同図（ｂ）は扉が開いた状態を示すものである。図５は従来の扉軸受装置と機器本体との装着状態を示す要部斜視図である。図において、２１は機器本体２３に対して回動自在にかつ機器本体２３の前面を覆うように設けられた扉本体、２１ａは扉本体２１の下端に設けられた突部、２２は扉本体２１の下端に設けられた略円筒状の軸受部で、その下側には長手方向に開口した開口部２２ａが設けられている。この開口部２２ａの開口幅は軸部２４の外径よりも狭く、かつ軸部２４への装着時はその開口幅が大きくなるべくたわむようになっている。２３は扉本体が取り付けられる機器本体、２４は機器本体２３の前面の一端に設けられ軸受部２２と回動自在に係合される軸部で、特に図示していないが同様の軸部が機器本体２３前面の他端にも設けられている。２５は機器本体２３と軸部２４との間に形成された切り欠き部で、扉本体２１の装着時に軸受部２２が位置する空間である。
【０００４】
以上のように構成された従来の扉軸受装置について、以下その動作について説明する。
【０００５】
まず、図５に示すように扉本体２１を矢印Ｃに示すように移動して、軸受部２２の一部が、軸部２４の上部にある切り欠き部２５を挿通するように装着する。この時、軸受部２２が機器本体前面に設けられた軸部２４に当接させるわけであるが、軸受部２２の開口部２２ａに軸部２４を当接させ、そのまま押圧する。すると、開口部２２ａはその押圧力によって撓みだし、軸部２４の外径よりも大きく開き、軸部２４の外径と同幅まで開くと軸部２４が軸受部２２に係合されて、扉本体２１が機器本体２３に回動自在に装着される。そして、図４に示すように、扉本体２１は機器本体２３に対して、軸受部２２及び軸部２４を回動支点に、矢印Ａ及びＢ方向に開閉操作が行える。
【０００６】
【発明が解決しようとする課題】
しかしながら従来の構成では、図５に示すように軸部２４が機器本体２３に対して僅かな接合部分しかなくかつ、図４（ｂ）に示す扉本体２１の開蓋時、扉本体２１の下端に設けられた突部２１ａが機器本体２３に対して離間しているので、扉本体２１の重量及び扉本体２１にかかる荷重を機器本体２１前面両端に設けられた軸部２４のみで受けることになり、図４（ｂ）に示す扉本体２１の開蓋時、矢印Ｊ方向へ大きな荷重がかかった場合に軸部２４が破損し、扉本体２１が機器本体２３から離脱してしまう可能性があるという問題点があった。
【０００７】
本発明は上記従来の問題点を解決するもので、扉本体の開蓋状態の時に扉本体の重量や大きな荷重がかかった際、軸受部の破損により扉本体が機器本体から離脱するのを防止することができる扉軸受装置を提供することを目的とする。
【０００８】
【課題を解決するための手段】
この目的を達成するために本発明の扉軸受装置は、扉本体を機器本体に対して開閉自在に装着可能な扉軸受装置であって、扉本体の下端に設けられた嵌合部と、機器本体の内側に設けられた略円筒形状の軸受部と、嵌合部に嵌合される突起部と軸受部に回動自在に装着される略円筒形状の軸部とを備えた結合部材とを備え、機器本体に前記扉本体の開蓋時に前記扉本体の下端部分が当接する当接面を設けたものである。
【０００９】
このような構成により、扉本体の重量や大きな荷重がかかった際、扉本体が機器本体から離脱するのを防止することができる扉軸受装置を提供することができる。
【００１０】
【発明の実施の形態】
本発明の請求項１に記載の発明は、扉本体を機器本体に対して開閉自在に装着可能な扉軸受装置であって、扉本体の下端に設けられた嵌合部と、機器本体の内側に設けられた略円筒形状の軸受部と、嵌合部に嵌合される突起部と軸受部に回動自在に装着される略円筒形状の軸部とを備えた結合部材とを備え、機器本体に前記扉本体の開蓋時に前記扉本体の下端部分が当接する当接面を設けたものであり、このような構成により、扉本体の開蓋時、扉本体の下端に設けられた突部が機器本体の前面下端に設けられた当接面に当接することにより、扉本体の開蓋時や荷重がかかった際に、軸受部周辺の損傷を防止することができる。
【００１１】
以下に本発明の実施の形態について、図面を参照しながら説明する。
（実施の形態１）
図１は本実施の形態の扉軸受装置本体の構成を示す断面図、図２は同実施の形態において扉本体と結合部材とを機器本体に結合させる状態を示す要部斜視図である。図において、１４はビデオテープレコーダなどの電子機器に代表される機器本体、１１は機器本体１４の前面に回動自在に装着された扉本体、１２は扉本体１１の下端に設けられ後述する結合部材１３の突起部１３ａを嵌合可能な嵌合部で、突起部１３ａ装着時は矢印Ｅ方向にたわむようになっている。１２ａは結合部材１２に設けられ突起部１３ａの内側に引っかけられる爪部、１２ｂは嵌合部１２の下端に設けられた傾斜部、１５は機器本体１４の内側下端に設けられ結合部材１３の軸部１３ｂが回動自在に装着される軸受部、１３は扉本体１１と機器本体１４とを結合する結合部材、１３ａは嵌合部１２に嵌合されるべく結合部材１３に設けられた突起部で、その内側に爪部１２ａが引っかけられる。１３ｂは軸受部１５に回動自在に装着されるべく結合部材１３下端に設けられた軸部で、その形状は略円筒状となっており、また軸受部１３ｂの装着時は矢印Ｇ方向にたわむようになっている。１５ａは軸受部１５の下部に設けられた開口部で、その開口幅は軸部１３ｂの外径より狭くなっている。１１ａは扉本体１１の下端に設けられた突部、１４ａは機器本体１４の前面下端に設けられた当接面で、扉本体１１の開蓋時に突部１１ａが当接するようになっている。ここで、突部１１ａと当接面１４ａはそれぞれ扉本体１１と機器本体１４の下端に設けられているが、扉本体１１の開蓋時に突部１１ａが当接部１４ａに当接するようになっていれば、これに限定されない。１１ｂは扉本体１１の上面部、１４ｂは機器本体１４の前面部で、この上面部１１ｂと前面部１４ｂとは扉本体１１の閉蓋時は図１（ａ）に示すように対向し、開蓋時は図１（ｂ）に示すように略直角に隣接する。
【００１２】
以上のように構成された本実施の形態の扉軸受装置について、以下にその動作について説明する。
【００１３】
まず、扉本体１１を機器本体１４に装着する方法について説明する。図２に示すように、扉本体１１を矢印Ｄ方向に移動させ、突起部１３ａの上方向から装着する。この時、嵌合部１２の傾斜部１２ｂを突起部１３の上面に当接させ、そのまま押し込むことにより嵌合部１２が矢印Ｅ方向に変形し、所定量押し込んだところで爪部１２ａが突起部１３ａの内側に係合して嵌合部１２が元の形状に戻り、結合部材１３に設けられた突起部１３ａと結合され固定される。
【００１４】
次に結合部材１３が装着された扉本体１１を矢印Ｆ方向に移動させ、軸部１３ｂを軸受部１５の下方向から装着する。この時、軸受部１５の下部に設けられた開口部１５ａに軸部１３ｂを当接させ、そのまま上方向に押し込むことにより軸受部１５の一部が矢印Ｇ方向に撓み、開口部１５ａの開口幅が軸部１３ｂの外径と同寸法まで開くと、軸部１３ｂが嵌合部１５に装着されることとなる。
【００１５】
これにより図１（ａ）に示すように、軸部１３ｂと軸受部１５とが回動自在に装着されているため、扉本体１１の閉蓋状態から矢印Ｈ方向に回動させて図１（ｂ）に示す開蓋状態にすることができる。この時、扉本体１１の下端に設けられた突部１１ａが、機器本体１４の前面下端に設けられた当接面１４ａに当接して回動が規制され、扉本体１１はこの角度以上開かない。また、図１（ｂ）に示す扉本体１１の開蓋状態から軸部１３ｂを支点に矢印Ｉ方向へ回動させることができ、図１（ａ）に示す閉蓋状態にすることができる。
【００１６】
以上のように本実施の形態によれば、扉本体１１と機器本体１４とを結合部材１３を介して装着し、扉本体１１の開蓋状態の時には扉本体１１と機器本体１４とが隣接することにより、図１（ｂ）に示す扉本体１１の開蓋時、扉本体１１の下端に設けられた突部１１ａが機器本体１４の前面下端に設けられた当接面１４ａに当接させることにより、扉本体１１の開蓋時、矢印Ｋ方向へ大きな荷重がかかった場合に、その荷重を軸受部１５と当接面１４ａとで分散させることができ、軸受部周辺の損傷を防止することができる。
【００１７】
【発明の効果】
以上のように本発明の扉軸受装置は、扉本体に大きな荷重をかけられた場合にも、軸受部周辺が破損することがなく、扉本体が機器本体から離脱するのを防止できるという優れた効果を有するものである。
【図面の簡単な説明】
【図１】（ａ）本発明の扉軸受装置の実施の形態における扉本体の閉蓋状態を示す断面図
（ｂ）同実施の形態における扉本体の閉蓋状態を示す断面図
【図２】同実施の形態における結合部材と扉本体と機器本体とを組み付ける状態を示す要部斜視図
【図３】扉本体を備えた機器本体の構成を示す斜視図
【図４】（ａ）従来の扉軸受装置における扉本体の閉蓋状態を示す断面図
（ｂ）従来の扉軸受装置における扉本体の開蓋状態を示す断面図
【図５】従来の軸受け装置の構成を示す要部斜視図
【符号の説明】
１１  扉本体
１１ｂ  上面部
１２  嵌合部
１３  結合部材
１３ａ  突起部
１３ｂ  軸部
１４  機器本体
１４ａ  当接面
１４ｂ  前面部
１５  軸受部
【図１】
0003713932.tif 000002
【図２】
0003713932.tif 000003
【図３】
0003713932.tif 000004
【図４】
0003713932.tif 000005
【図５】
0003713932.tif 000006